(57)【特許請求の範囲】
【請求項１】
所定温度に加熱された湯を出湯する給湯器本体と、
該給湯器本体から出湯される湯の温度を制御するための複数のリモコンと、
該複数のリモコンの内、特定のリモコンが使用中である場合には、該特定のリモコンにより設定された温度を常に優先させる温度優先手段と、
前記各リモコンを個別に起動−停止させる個別起動停止手段と、
前記複数のリモコンの全てを同時に停止させる全停止手段とを備え、
前記個別起動停止手段及び前記全停止手段は、スイッチを共有し、前記全停止手段は、前記個別起動停止手段により前記複数のリモコンを個別に停止させる場合とは異なる動作で前記スイッチを操作することにより前記複数のリモコンの全てを同時に停止させるものであることを特徴とする給湯器。
【請求項２】
前記複数のリモコンのいずれか１以上が使用中である場合には、１又は２以上の他のリモコンに出湯温度を表示させる温度表示手段をさらに備えていることを特徴とする請求項１に記載の給湯器。
【発明の詳細な説明】
【０００１】
【発明の属する技術分野】
本発明は、給湯器に関し、さらに詳しくは、複数のリモコンを用いて出湯温度を制御する遠隔制御装置を備えた給湯器に関するものである。
【０００２】
【従来の技術】
給湯器には、複数のリモコンを用いて出湯温度を制御する遠隔制御装置を備えたものが知られている。この種の給湯器は、複数の水栓を有し、給湯器本体から供給される湯を各水栓に分配するようになっている。各水栓は、一般に、風呂、台所、シャワー室、洗面所等、複数の場所に設置され、各リモコンは、各水栓に近接して設置される。
【０００３】
また、各リモコンには、そのリモコン及び給湯器本体を運転状態（ＯＮ）又は停止状態（ＯＦＦ）に切り換えるための運転スイッチ、給湯器本体から出湯させる湯の温度を設定するための温度設定スイッチ等の各種のスイッチが設けられ、これらのスイッチを操作することにより、各水栓から所望の温度を有する湯を出湯させるようになっている。
【０００４】
ところで、このような給湯器においては、複数のリモコンが同時に使用され、複数のリモコンから同時に温度設定がなされる場合がある。そのような場合に、競合する指令をどのように処理するかについては、従来から、種々の方式が提案されている。
【０００５】
例えば、複数のリモコンの内、いずれかのリモコンの運転スイッチが押された場合には、全てのリモコンがＯＮ又はＯＦＦとなり、温度設定は、最初に運転スイッチが押されたリモコンの設定温度を優先させる方式（以下、これを「同時運転最初優先方式」という。）が知られている。
【０００６】
また、例えば、複数のリモコンの内、いずれかのリモコンの運転スイッチが押された場合には、そのリモコンのみがＯＮ又はＯＦＦとなり、設定温度は、ある特定のリモコン（一般的には、風呂に設置されたリモコン）が使用されている場合には、常にその特定のリモコンの温度設定を優先させる方式（以下、これを「個別運転風呂優先方式」という。）も知られている。
【０００７】
【発明が解決しようとする課題】
同時運転最初優先方式は、いずれかのリモコンの運転スイッチを押すだけで全てのリモコンを運転又は停止させることができるので、就寝時に全てのリモコンを停止させる場合には、最も近い位置に設置されたリモコンの運転スイッチを操作するだけで足り、利便性が高いという利点がある。
【０００８】
しかしながら、例えば、風呂及び台所に、それぞれ、風呂リモコン及び台所リモコンが設置され、かつ、使用者が風呂でシャワーを浴びるために風呂リモコンを使用している場合において、台所リモコンを誤ってＯＦＦとすると、給湯器本体が燃焼を停止し、風呂で使用者が冷水を浴びるおそれがあるという問題がある。
【０００９】
また、温度設定は、最初に運転スイッチが押されたリモコンの設定温度を優先させるので、風呂でシャワーが使用されていることを知らずに、台所リモコンをＯＦＦとし、直ちにＯＮとすると、台所リモコンに温度設定の優先権が移行する。そのため、台所リモコンの設定温度が高い場合には、給湯器本体から高温の湯が供給され、風呂で使用者が熱湯を浴びるおそれがあるという問題がある。
【００１０】
これに対し、個別運転風呂優先方式は、台所リモコンをＯＦＦとしても、風呂リモコンが使用中である限り、給湯器本体が燃焼を停止することがないので、使用者が風呂で冷水を浴びるおそれはない。また、風呂リモコンが使用中である場合には、常に風呂リモコンの設定温度が優先されるので、使用者が風呂で熱湯を浴びるおそれもない。
【００１１】
しかしながら、各リモコンは、そのリモコンに備えられる運転スイッチを押すことによって個別にＯＮ又はＯＦＦとなるので、例えば、就寝時に全てのリモコンを停止させる場合には、各リモコンの設置場所まで行き、個別に運転スイッチを押す必要があり、不便であった。
【００１２】
本発明が解決しようとする課題は、複数のリモコンを備えた給湯器において、複数のリモコンが同時に使用された場合であっても、安全性を損なうことがなく、しかも、利便性に優れた給湯器を提供することにある。
【００１３】
【課題を解決するための手段】
上記課題を解決するために本発明に係る給湯器は、所定温度に加熱された湯を出湯する給湯器本体と、該給湯器本体から出湯される湯の温度を制御するための複数のリモコンと、該複数のリモコンの内、特定のリモコンが使用中である場合には、該特定のリモコンにより設定された温度を常に優先させる温度優先手段と、前記各リモコンを個別に起動−停止させる個別起動停止手段と、前記複数のリモコンの全てを同時に停止させる全停止手段とを備え、前記個別起動停止手段及び前記全停止手段は、スイッチを共有し、前記全停止手段は、前記個別起動停止手段により前記複数のリモコンを個別に停止させる場合とは異なる動作で前記スイッチを操作することにより前記複数のリモコンの全てを同時に停止させるものであることを要旨とするものである。
【００１４】
この場合、前記複数のリモコンの内のいずれか１以上が使用中である場合には、１又は２以上の他のリモコンに出湯温度を表示させる温度表示手段をさらに備えていてもよい。
【００１５】
上記構成を有する本発明に係る給湯器によれば、特定のリモコンが使用中である場合には、特定のリモコンで設定された温度が常に優先されるので、その特定のリモコンの使用者が使用中に熱湯を浴びるおそれはない。また、各リモコンは、個別に起動−停止させることができるので、特定のリモコンが使用されている時に他のリモコンを停止させても、特定のリモコンの使用者が冷水を浴びることもない。さらに、個別起動停止手段とは別に、全停止手段を備えているので、就寝時等においては、１つのリモコンを操作するだけで全てのリモコンを容易に停止させることができ、利便性が向上する。
【００１６】
また、個別起動停止手段と前記全停止手段でスイッチを共有し、各リモコンを個別に起動停止させる場合とは異なるスイッチ操作により、全てのリモコンを停止させるようにすれば、リモコンの部品点数を削減できると同時に、誤操作を抑制することができる。さらに、いずれか１以上のリモコンが使用中である場合に、１又は２以上の他のリモコンに出湯温度を表示させるようにすれば、給湯器が使用中であることを容易に認識することができ、誤操作がさらに抑制される。
【００１７】
【発明の実施の形態】
以下、本発明の好適な一実施の形態について詳細に説明する。図２に、本発明に係る給湯器の概略構成図を示す。図２において、給湯器１０は、給湯器本体１２と、給湯器本体１２を遠隔制御するための複数のリモコン１６ａ、１６ｂ…とを備えている。
【００１８】
給湯器本体１２は、周知のように、給水管（図示せず）から供給される水を熱交換器（図示せず）で加熱し、所定温度に達した湯を出湯管１８から出湯させるようになっている。出湯管１８には、複数の水栓１４ａ、１４ｂ…が設けられ、給湯器本体１２で加熱された湯を、風呂、台所、シャワー室、洗面所等、複数の場所に供給できるようになっている。
【００１９】
また、給湯器本体１２には、給湯器本体１２の燃焼状態を制御するためのバーナコントローラ（図示せず）が備えられている。バーナコントローラは、公知のＣＰＵ、ＲＯＭ、ＲＡＭ等により構成され、そのＲＯＭには、給湯器本体１２を制御するための各種のプログラムが格納されている。
【００２０】
さらに、各水栓１４ａ、１４ｂ…が設けられている場所には、それぞれ、給湯器本体１２を遠隔操作するためのリモコン１６ａ、１６ｂ…が設けられる。各リモコン１６ａ、１６ｂ…には、それぞれ、運転スイッチ及び温度設定スイッチ（いずれも、図示せず）が設けられ、これらを操作することにより、各水栓１４ａ、１４ｂ…から所望の温度を有する湯を出湯させるようになっている。
【００２１】
また、各リモコン１６ａ、１６ｂ…には、そのリモコンが使用中であることを表示するための運転ランプ、そのリモコンが温度設定の優先権を有していることを表示するための優先ランプ（いずれも図示せず。）が設けられている。
【００２２】
ここで、本実施の形態に係る給湯器１０には、複数のリモコン１６ａ、１６ｂ…の内、特定のリモコンが使用中である場合には、その特定のリモコンにより設定された温度を常に優先させる温度優先手段が設けられている。
【００２３】
温度優先手段とは、具体的には、各リモコン１６ａ、１６ｂ…から送られる制御信号に基づいて、設定温度の優先順位を決定するための制御プログラムであり、一般に、バーナコントローラ内のメモリに格納される。なお、各リモコン１６ａ、１６ｂ…にＲＯＭが設けられている場合には、この制御プログラムは、それぞれ、各リモコン１６ａ、１６ｂ…のＲＯＭ内に格納されていても良い。また、設定温度を優先させる特定のリモコンは、任意に定めることができるが、通常は、湯温の急変を最も嫌う風呂に設置された風呂リモコンが選ばれる。
【００２４】
また、本実施の形態の場合、各リモコン１６ａ、１６ｂ…に設けられる運転スイッチには、押圧操作を行うことにより接点が閉成状態に切り替わるアンロック式の押しボタンスイッチが用いられている。そして、運転スイッチを３秒以内の短い時間だけ押した場合には、１回押す毎に、そのリモコンが個別に起動・停止を周期的に繰り返し（個別起動停止手段）、そのリモコンが運転中である場合において運転スイッチを３秒以上押し続けたときには、全てのリモコン１６ａ、１６ｂ…が同時に停止する（全停止手段）ようになっている。
【００２５】
このように、１つの運転スイッチを用い、異なるスイッチ操作によって、個別起動停止手段と全停止手段とを実行させるようにすると、リモコン１６ａ、１６ｂ…の部品数が少なくなり、製造コストを削減できるという利点がある。また、全てのリモコン１６ａ、１６ｂ…を停止させるためには、意図的にスイッチを長時間押す必要があるので、リモコンの誤操作を抑制できるという利点がある。
【００２６】
なお、温度設定スイッチの形態は、特に限定されるものではない。例えば、ダイヤル式のスイッチを用い、ダイヤルの回転角度に応じた設定温度を出力させるようにしても良く、あるいは、２つのアンロック式押しボタンスイッチを用い、一方の押しボタンスイッチを１回押す毎に、所定のきざみ（例えば、１℃ずつ）で設定温度を増減させるようにしても良い。
【００２７】
また、各リモコン１６ａ、１６ｂ…には、出湯温度を表示するための温度表示装置（図示せず）が設けられている。温度表示装置は、そのリモコンが運転中である場合にのみ表示させるようにしても良い。また、複数のリモコン１６ａ、１６ｂ…の内のいずれかのリモコンが使用中である場合に、他のリモコンが運転中であるか否かにかかわらず、１又は２以上の他のリモコンに出湯温度を表示させるようにしても良い（温度表示手段）。特に、後者の場合は、給湯器１０が使用中であるか否かを容易に認識することができるので、リモコン１６ａ、１６ｂ…の誤操作をさらに抑制することができるという利点がある。
【００２８】
次に、本実施の形態に係る給湯器の制御方法について説明する。図１に、風呂リモコンと台所リモコンの２つのリモコンを備えた給湯器１０に対して適用される制御フローチャートの一例を示す。
【００２９】
初めに、風呂リモコンと台所リモコンの双方が停止中である場合について説明する。まず、リモコンの使用状態の確認を行うために、図１に示すステップ１（以下、単に「Ｓ１」と表記する。）において、風呂リモコンが運転中であるか否かが判断される。この場合は、風呂リモコンは停止中である（Ｓ１：ＹＥＳ）ので、Ｓ２に進む。
【００３０】
Ｓ２では、台所リモコンが運転中か否かが判断される。この場合も、台所リモコンは停止中である（Ｓ２：ＮＯ）ので、そのままＳ３に進み、風呂リモコン及び台所リモコンの双方を停止状態に維持させる。そして、風呂リモコン又は台所リモコンのいずれかの運転スイッチが押されるまで、上述したＳ１からＳ３の各ステップが繰り返される。
【００３１】
次に、台所リモコンのみを使用する場合について説明する。最初に台所リモコンの運転スイッチが押されると、Ｓ２において、台所リモコンが運転中である（Ｓ２：ＹＥＳ）と判断されるので、その場合には、Ｓ４に進む。
【００３２】
Ｓ４では、風呂リモコンを停止させたまま、台所リモコンのみを起動させ、台所リモコンの運転ランプ及び優先ランプを点灯させる。これにより、使用者は、台所リモコンが使用可能であること及び温度設定が可能であること（すなわち、台所優先の運転状態にあること）を視認することができる。なお、温度表示手段をさらに備えた給湯器にあっては、Ｓ４において、停止中の風呂リモコンに出湯温度が表示される。
【００３３】
次いで、Ｓ５に進み、台所リモコンが停止したか否かが判断される。台所リモコンの運転スイッチが再度押されない限り、台所リモコンは停止していない（Ｓ５：ＮＯ）と判断されるので、その場合には、Ｓ６に進む。Ｓ６では、風呂リモコンが運転中か否かが判断される。この場合は、風呂リモコンは運転中ではない（Ｓ６：ＮＯ）と判断されるので、Ｓ４に戻る。
【００３４】
そして、台所リモコンの運転スイッチが再度押されるまで、前述したＳ４からＳ６までの各ステップが繰り返される。また、台所リモコンの運転スイッチが再度押された時には、台所リモコンが停止したと判断される（Ｓ５：ＹＥＳ）ので、その場合にはＳ３に進み、台所リモコンの運転ランプ及び優先ランプを消灯させ、台所リモコンを停止させる。なお、温度表示手段を備えた給湯器の場合は、Ｓ３において、同時に、風呂リモコンに表示させていた出湯温度の表示が消えることになる。
【００３５】
次に、台所リモコンの使用中に風呂リモコンの運転スイッチが押された場合について説明する。台所リモコンの使用中に風呂リモコンの運転スイッチが押された場合（Ｓ６：ＹＥＳ）には、Ｓ１１に進む。Ｓ１１では、風呂リモコンの運転ランプの点灯、並びに台所リモコンの優先ランプの消灯及び風呂リモコンの優先ランプの点灯が行われる。これにより、台所リモコンの使用者は、風呂リモコンが使用中であること、及び温度設定の優先権が風呂リモコンに移行したこと（すなわち、風呂優先の運転状態に移行したこと）を容易に視認することができる。
【００３６】
次いで、Ｓ１２では、台所リモコンが停止したか否かが判断される。台所リモコンの運転スイッチが再度押されない限り、台所リモコンは停止していない（Ｓ１２：ＮＯ）と判断されるで、その場合には、Ｓ１３に進む。Ｓ１３では、風呂リモコンが停止したか否かが判断される。同様に、風呂リモコンの運転スイッチが再度押されない限り、風呂リモコンは停止していない（Ｓ１３：ＮＯ）と判断されるので、その場合にはＳ１１に戻る。そして、台所リモコン又は風呂リモコンのいずれかの運転スイッチが再度押されるまで、Ｓ１１からＳ１３までの各ステップが繰り返される。
【００３７】
また、台所リモコン及び風呂リモコンの双方が運転状態となった後、台所リモコンの運転スイッチが先に押され、台所リモコンが先に停止した場合（Ｓ１２：ＹＥＳ）には、Ｓ１４に進む。Ｓ１４では、台所リモコンの運転スイッチが３秒以上押されたか否かが判断される。
【００３８】
台所リモコンの運転スイッチが３秒以上押された場合（Ｓ１４：ＹＥＳ）には、使用者が全てのリモコンを停止させる意志があると判断されるので、その場合には、Ｓ３に進み、台所リモコン及び風呂リモコンの双方を停止させる。なお、温度表示手段を備えた給湯器の場合は、この時、全てのリモコンの出湯温度の表示が消える。
【００３９】
一方、台所リモコンの運転スイッチが３秒以上押されていない場合（Ｓ１４：ＮＯ）には、使用者が台所リモコンのみを停止させる意志があると判断されるので、その場合には、Ｓ８に進む。
【００４０】
Ｓ８では、台所リモコンの停止及び台所リモコンの運転ランプの消灯が行なわれる。なお、風呂リモコンは使用中であるので、風呂リモコンの運転ランプ及び優先ランプは点灯したままである。また、温度表示手段を備えた給湯器の場合、停止状態となった台所リモコンには、出湯温度のみが表示される。
【００４１】
次いで、Ｓ９において、台所リモコンの運転スイッチが押されたか否かが判断される。台所リモコンの運転スイッチが再度押された場合（Ｓ９：ＹＥＳ）には、前述したＳ１１に戻り、風呂リモコンと台所リモコンの同時使用の運転状態に再度移行する。一方、台所リモコンの運転スイッチが再度押されなかった場合（Ｓ９：ＮＯ）には、Ｓ１０に進む。
【００４２】
Ｓ１０では、風呂リモコンが停止したか否かが判断される。風呂リモコンの運転スイッチを再度押さない限り、風呂リモコンは停止したと判断されない（Ｓ１０：ＮＯ）ので、その場合には、Ｓ８に戻り、上述したＳ８からＳ１０の各ステップが繰り返される。そして、台所リモコンを再度使用することなく、風呂リモコンの運転スイッチが再度押された場合（Ｓ１０：ＹＥＳ）には、Ｓ３に進み、風呂リモコンを停止させる。
【００４３】
これに対し、台所リモコン及び風呂リモコンの双方が使用された後、風呂リモコンの運転スイッチが先に押され、風呂リモコンが先に停止した場合（Ｓ１３：ＹＥＳ）には、Ｓ１５に進む。Ｓ１５では、風呂リモコンの運転スイッチが３秒以上押されたか否かが判断される。
【００４４】
風呂リモコンの運転スイッチが３秒以上押された場合（Ｓ１５：ＹＥＳ）には、使用者が全てのリモコンを停止させる意志があると判断されるので、その場合には、Ｓ３に進み、台所リモコン及び風呂リモコンの双方を停止させる。
【００４５】
一方、風呂リモコンの運転スイッチが３秒以上押されていない場合（Ｓ１５：ＮＯ）には、使用者が風呂リモコンのみを停止させる意志があると判断されるので、その場合には、前述したＳ４に戻り、台所優先の運転状態に移行する。そして、台所リモコンを停止させるか、あるいは、風呂リモコンが再度使用されるまで、前述したＳ４からＳ６までの各ステップが繰り返される。
【００４６】
次に、風呂リモコンのみを使用する場合について説明する。風呂リモコンの運転スイッチが最初に押されると、風呂リモコンが使用中であると判断される（Ｓ１：ＹＥＳ）ので、その場合は、Ｓ７に進む。
【００４７】
Ｓ７では、台所リモコンが使用中であるか否かが判断される。この場合は、台所リモコンは使用中でない（Ｓ７：ＮＯ）と判断されるので、前述したＳ８に進み、風呂優先の運転状態に移行する。そして、風呂リモコンの運転スイッチが再度押されるまで、前述したＳ８からＳ１０までの各ステップが繰り返される。また、風呂リモコンの運転スイッチが再度押された場合（Ｓ１０：ＹＥＳ）には、Ｓ３に進み、風呂リモコンを停止させる。
【００４８】
次に、風呂リモコンの使用中に、台所リモコンの運転スイッチが押された場合について説明する。風呂リモコンを最初に起動させた後、台所リモコンの運転スイッチが押された場合には、台所リモコンが使用中であると判断される（Ｓ７：ＹＥＳ、又はＳ９：ＹＥＳ）ので、その場合には、前述したＳ１１に進む。そして、台所リモコン又は風呂リモコンの停止操作が行われるまで、前述したＳ１１からＳ１３までの各ステップが繰り返される。
【００４９】
また、風呂リモコンと台所リモコンの双方が同時に使用されている場合において、台所リモコンのみを個別に停止させたとき（Ｓ１２：ＹＥＳ、Ｓ１４：ＮＯ）にはＳ８に進み、台所リモコンの運転スイッチを３秒以上押したとき（Ｓ１２：ＹＥＳ、Ｓ１４：ＹＥＳ）にはＳ３に進む。また、風呂リモコンのみを個別に停止させたとき（Ｓ１３：ＹＥＳ、Ｓ１５：ＮＯ）にはＳ４の台所優先の運転状態に移行し、風呂リモコンの運転スイッチを３秒以上押したとき（Ｓ１３：ＹＥＳ、Ｓ１５：ＹＥＳ）にはＳ３に進む点も、前述と同様である。
【００５０】
以上のように、本発明に係る給湯器によれば、風呂リモコンが先に起動したか否かにかかわらず、風呂リモコンが運転中である場合には、常に風呂優先の運転状態となるので、使用者が風呂でシャワーを浴びている際に、不意に熱湯を浴びるおそれはない。また、台所リモコンの使用者が意図的に長時間、運転スイッチを押さない限り、風呂リモコンは起動したままとなるので、使用者が風呂でシャワーを浴びている際に、不意に冷水を浴びるおそれも少ない。
【００５１】
さらに、風呂リモコン及び台所リモコンの双方が使用中である場合に、風呂リモコン及び台所リモコンの双方を同時に停止させたいときには、台所リモコン又は風呂リモコンのいずれかの運転スイッチを意図的に長時間押すだけで良いので、利便性も高い。
【００５２】
以上、本発明の実施の形態について詳細に説明したが、本発明は、上記実施の形態に何ら限定されるものではなく、本発明の趣旨を逸脱しない範囲内で種々の改変が可能である。
【００５３】
例えば、１つの押しボタン式スイッチを用いて個別起動停止と全停止とを区別する方法は、異なるスイッチ操作によって区別する方法であればよく、上述した押圧時間の差によって区別する方法に限定されるものではない。例えば、所定の時間間隔（例えば、０．５秒）以上でゆっくりとスイッチを押した場合には、各リモコンが周期的に起動−停止を繰り返し、起動中のリモコンの運転スイッチを所定の時間間隔以下で２回続けて素早く押した場合には、全てのリモコンを停止させるようにしても良い。
【００５４】
また、１つの運転スイッチを用いて、異なるスイッチ操作により、個別起動停止と全停止とを区別する代わりに、個別起動停止スイッチと全停止スイッチの２つのスイッチを各リモコンに設置するようにしても良い。
【００５５】
また、上記実施の形態では、風呂リモコンと台所リモコンの２つのリモコンを備えた給湯器の制御方法について説明したが、リモコンが３個以上設けられている場合も同様であり、温度の急変を最も嫌うリモコンの温度設定を常に優先させると同時に、１つの運転スイッチを用いた異なるスイッチ操作、あるいは２つの異なるスイッチにより、各リモコン毎に個別起動停止及び全停止を行えるようにすればよく、これにより上記実施の形態と同様の効果を得ることができる。
【００５６】
【発明の効果】
本発明に係る給湯器は、所定温度に加熱された湯を出湯する給湯器本体と、該給湯器本体から出湯される湯の温度を制御するための複数のリモコンと、該複数のリモコンの内、特定のリモコンが使用中である場合には、該特定のリモコンにより設定された温度を常に優先させる温度優先手段と、前記各リモコンを個別に起動−停止させる個別起動停止手段と、前記複数のリモコンの全てを同時に停止させる全停止手段とを備えているので、特定のリモコンの使用者が熱湯や冷水を浴びる危険が少ないという効果がある。また、いずれか１つのリモコンを操作するだけで全てのリモコンを停止させることができるので、利便性が高いという効果がある。
【００５７】
また、前記個別起動停止手段及び前記全停止手段でスイッチを共有し、前記全停止手段は、前記個別起動停止手段とは異なる動作で前記スイッチを操作することにより前記複数のリモコンの全てを同時に停止させるものである場合には、リモコンの部品点数を削減できると同時に、リモコンの誤操作を抑制することができるという効果がある。
【００５８】
さらに、前記複数のリモコンの内のいずれか１以上のリモコンが使用中である場合に、１又は２以上の他のリモコンに出湯温度を表示させる温度表示手段をさらに備えているときには、給湯器が使用中であることを容易に認識することができ、リモコンの誤操作がさらに抑制されるという効果がある。
【００５９】
以上のように、本発明に係る給湯器は、温度の急変を最も嫌う特定のリモコンにより設定された温度を常に優先させる機能、各リモコンの個別起動停止機能及び全てのリモコンの全停止機能を備えているので、給湯器の安全性を損なうことなく利便性を向上させることが可能となるものであり、産業上その効果の極めて大きい発明である。
【図面の簡単な説明】
【図１】本発明の実施の形態に係る給湯器の制御フローチャートである。
【図２】給湯器の概略構成図である。
【符号の説明】
１０            給湯器
１２            給湯器本体
１４ａ、１４ｂ  水栓
１６ａ、１６ｂ  リモコン
【図１】
0004098930.tif 000002
【図２】
0004098930.tif 000003